(57)【要約】【課題】保管あるいは廃棄の際に嵩張りにくい集塵装置を提供する。【解決手段】袋体43を伸縮可能な濾材により形成する。塵埃を内部に捕集した際など袋体43が膨らんだときでも、本体集塵室の内部形状に拘らず本体枠42の内部形状に沿って袋体43を最適形状に膨らませることができる。未使用状態では袋体43のみを収縮させた状態で保管でき、また、使用後には袋体43が収縮することで捕集した塵埃を圧縮できるので、保管あるいは廃棄の際に嵩張りにくい。【選択図】図１
2011200559.tif 000002
【特許請求の範囲】
【請求項１】
吸気口を備え、被取付部の内部形状に対応する所定形状を有する本体枠と、
この本体枠の吸気口に取り付けられた口枠と、
伸縮可能な濾材により袋状に形成され、前記吸気口に一端側が連通して前記本体枠の内部に着脱可能に取り付けられた袋体と
を具備したことを特徴とした集塵装置。
【請求項２】
袋体の一端側は、本体枠と口枠とにより挟持されている
ことを特徴とした請求項１記載の集塵装置。
【請求項３】
本体枠に設けられた持ち運び用のハンドルを具備し、
袋体は、口枠を本体枠に対して回動させることにより一端側をねじって廃棄可能となる
ことを特徴とした請求項１または２記載の集塵装置。
【請求項４】
本体枠は、少なくとも一部の外郭が被取付部の内部に対して離間される形状を有している
ことを特徴とした請求項１ないし３いずれか一記載の集塵装置。
【請求項５】
電動送風機を収容した掃除機本体と、
前記電動送風機の吸込側に連通する風路と、
この風路の一部をなす被取付部と、
この被取付部に取り付けられる請求項１ないし４いずれか一記載の集塵装置と
を具備したことを特徴とした電気掃除機。
【発明の詳細な説明】
【技術分野】
【０００１】
本発明は、濾材により形成された袋体を有する集塵装置およびこれを備えた電気掃除機に関する。
【背景技術】
【０００２】
従来、この種の電気掃除機は、電動送風機を収容した掃除機本体を備えている。この掃除機本体には、電動送風機の吸込側に連通する集塵室が形成されている。この集塵室には、集塵部としての集塵袋が取り付けられる。この集塵袋は、硬質の厚紙などにより形成され掃除機本体に固定される口枠と、この口枠に一体的に取り付けられた袋体とを有している。この袋体は、例えば紙、あるいは布などの薄い濾材により袋状に形成されており、未使用の状態では折り畳まれ、使用を開始すると集塵室内で広がる(例えば、特許文献１参照。)。
【先行技術文献】
【特許文献】
【０００３】
【特許文献１】特開２００６−２３８９９３号公報(第４−７頁、図１、図２および図５)
【発明の概要】
【発明が解決しようとする課題】
【０００４】
しかしながら、上述の構成の場合、掃除機本体の集塵室の形状に拘らず同じ集塵袋を使用するため、集塵室の大きさあるいは形状などによっては、塵埃の溜まり方に差が生じたり、集塵袋に塵埃を充分に溜める前に目詰まりが生じたりするおそれがあるという問題点を有している。
【０００５】
また、未使用状態、すなわち保管時には袋体が折り畳まれているものの、硬質の口枠と一体的となっているため、口枠の分、嵩張るという問題もある。
【０００６】
さらに、集塵状態では集塵袋が大きく膨らんでおり、廃棄の際に嵩張るという問題もある。
【０００７】
本発明は、このような点に鑑みなされたもので、袋体を最適形状に膨らませることができるとともに、保管あるいは廃棄の際に嵩張りにくい集塵装置およびこれを備えた電気掃除機を提供することを目的とする。
【課題を解決するための手段】
【０００８】
本発明は、吸気口を備え、被取付部の内部形状に対応する所定形状を有する本体枠と、この本体枠の吸気口に取り付けられた口枠と、伸縮可能な濾材により袋状に形成され、吸気口に一端側が連通して本体枠の内部に着脱可能に取り付けられた袋体とを具備したものである。
【発明の効果】
【０００９】
本発明によれば、袋体を伸縮可能な濾材により形成することで、塵埃を内部に捕集した際など袋体が膨らんだときでも、被取付部の内部形状に拘らず本体枠の内部形状に沿って最適形状に膨らませることができるとともに、未使用状態では袋体のみを収縮させた状態で保管でき、また、使用後には袋体が収縮することで捕集した塵埃を圧縮できるので、保管あるいは廃棄の際に嵩張りにくい。
【図面の簡単な説明】
【００１０】
【図１】本発明の一実施の形態の集塵装置を前方から示す分解斜視図である。
【図２】同上集塵装置を後方から示す分解斜視図である。
【図３】同上集塵装置の使用状態を前方から示す斜視図である。
【図４】同上集塵装置を取り付けた電気掃除機の一部を示す平面図である。
【図５】同上電気掃除機の一部を示す縦断面図である。
【図６】同上集塵装置の使用後の袋体を廃棄する際の処理を示す斜視図である。
【図７】同上集塵装置の袋体の廃棄直前の状態を示す斜視図である。
【図８】同上電気掃除機の斜視図である。
【発明を実施するための形態】
【００１１】
以下、本発明の一実施の形態の構成を図１ないし図８を参照して説明する。
【００１２】
図８において、11はいわゆるキャニスタ型の電気掃除機を示し、この電気掃除機11は、風路構成体である管部12と、この管部12が着脱可能に接続される掃除機本体13とを有している。
【００１３】
管部12は、掃除機本体13に接続される接続管部15と、この接続管部15の先端側に連通する可撓性を有するホース体16と、このホース体16の先端側に設けられた手元操作部17と、この手元操作部17の先端側に着脱可能に接続される延長管18と、この延長管18の先端側に着脱可能に接続される吸込口体としての床ブラシ19とを備えている。
【００１４】
手元操作部17には、把持部21がホース体16側へと突出し、この把持部21には、操作用の設定ボタン22が複数設けられている。
【００１５】
また、掃除機本体13は、図３、図４および図８に示すように、本体ケース25を備え、この本体ケース25の内部には、隔壁26が設けられ、この隔壁26の後側に、電動送風機27を収容する図示しない電動送風機室、および、図示しないコードリール装置あるいは電池などの電源部を収容する電源室がそれぞれ区画されているとともに、隔壁26の前側に、この隔壁26に設けられた図示しない連通口を介して電動送風機27の吸込側に連通する被取付部としての集塵室である本体集塵室29が区画され、この本体集塵室29に、集塵装置30が着脱可能に配置され、この集塵装置30が、固定手段としてのクランプ31により本体集塵室29に着脱可能に固定される。なお、図８に示す管部12と、本体集塵室29などとにより、電動送風機27の吸込側に連通する風路Ｗが区画されている。すなわち、本体集塵室29は、風路Ｗの一部を構成している。
【００１６】
本体ケース25は、例えば合成樹脂などにより形成され、本体集塵室29を開閉する蓋体としての本体蓋33が前部に上下方向に回動可能に軸支されている。また、この本体ケース25の両側方には、掃除機本体13の走行用の大径の走行輪35(一方のみ図示)が回転自在に軸支されている。さらに、本体ケース25の前部には、ホース体16(接続管部15)の基端側が着脱可能に接続される本体吸込口36が本体集塵室29に連通して形成されている。
【００１７】
また、隔壁26の本体集塵室29側(前面部)には、隔壁26の連通口を覆ってウレタンフィルタなどのフィルタ部材38が取り付けられている。
【００１８】
電動送風機27は、電源部から給電され、掃除機本体13内の図示しない制御手段により、設定ボタン22(図８)で設定された所定の動作モードで動作されて管部12(図８)を介して空気とともに塵埃を風路Ｗに吸い込むもので、前側を吸込側、後側を排気側として電動送風機室内に配置されている。
【００１９】
電動送風機室は、本体ケース25に形成された図示しない排気孔を介して掃除機本体13(本体ケース25)の外部と連通している。
【００２０】
そして、集塵装置30は、図１ないし図７に示すように、口枠としての操作手段である円環状の操作リング41と、この操作リング41が着脱可能に取り付けられる本体枠42と、伸縮可能な濾材により袋状に形成された袋体43とを備えている。
【００２１】
操作リング41は、例えば合成樹脂などの剛性を有する部材により形成された口枠本体としての操作手段本体であるリング本体45と、このリング本体45の外周縁から外方へとフランジ状に突出するガイド部46とを有している。また、操作リング41の背面、すなわちリング本体45およびガイド部46の平面状の背面(後面)には、袋体43を本体枠42に係止保持するための係止部としての例えば４つの凸部47が突出して形成されている。
【００２２】
リング本体45は、中央部に円形状の開口部51を有する環状に形成されている。また、このリング本体45の前部には、使用者が指先を挿入して操作リング41を本体枠42に対して周方向に回動させるための操作部としての指掛け部である操作凹部53が凹設されている。
【００２３】
ガイド部46は、操作リング41を本体枠42に対して回動させる際のガイドとなる部分であり、リング本体45よりも薄板状に形成されており、リング本体45の背面側寄りに位置している。また、このガイド部46の上部には、切欠部55が形成されている。
【００２４】
凸部47は、先端側が球面状に形成された円柱状であり、周方向に略等間隔に離間されて配置されている。
【００２５】
また、本体枠42は、塵埃の捕集による袋体43の膨らみを規制する、換言すれば袋体43の最大膨らみ形状を規定するもので、例えば合成樹脂などの剛性を有する部材により、本体集塵室29の内部形状に対応する所定形状を有する枠状に形成されており、その外郭が、本体集塵室29の内部よりも一定の距離分小さい形状、換言すれば、本体集塵室29に取り付けた状態でこの本体集塵室29の内部から外郭が離間される形状となっている。そして、この本体枠42は、略四角形平板状の口板部61と、この口板部61に連続する枠体62とを一体的に有している。なお、これら口板部61および枠体62は、互いに一体形成されていてもよいし、別体で形成したものを一体的に連結してもよい。
【００２６】
口板部61は、本体枠42の最前部、すなわち上流端に位置するものであり、上下方向に沿って面方向を有し、中央部に丸孔状の吸気口64が貫通して形成されている。また、この口板部61の前部、すなわち枠体62と反対側には、吸気口64の外周に、凹溝状の溝部65が円環状に形成されているとともに、この溝部65の上下、すなわち吸気口64の上下に、それぞれ操作リング41の保持用の爪状の一方および他方の係止部66，67が突出して形成されている。さらに、この口板部61の両側には、集塵装置30を本体集塵室29に対して位置決めするための位置決め部68がそれぞれ突出して形成されている。そして、この口板部61は、集塵装置30を本体集塵室29に取り付けて本体蓋33を閉じた状態で、この本体蓋33の下部に突出した押さえ部としての押さえリブ69により上方から押さえつけられて、この押さえリブ69と本体集塵室29の底部との間で上下方向に挟持されて、上下方向の位置が規制される。
【００２７】
吸気口64は、口板部61の前部に操作リング41を取り付けた状態でこの操作リング41の開口部51と同軸に連通して、この開口部51とともに、風路Ｗに吸い込んだ空気を塵埃とともに袋体43へと流入させるものである。すなわち、この吸気口64は、集塵装置30を本体集塵室29に取り付けた状態で、図示しないシール部材などを介して本体吸込口36の下流側(後側)に気密に接続される。なお、吸気口64は任意の形状とすることが可能であるが、ここでは、開口部51と略等しい円形状に形成されている。
【００２８】
溝部65は、口板部61の前部に操作リング41を取り付けた状態でこの操作リング41の各凸部47が袋体43を介して嵌合する部分である。すなわち、この溝部65は、吸気口64と同心状に形成されている。
【００２９】
係止部66，67は、操作リング41のガイド部46を口板部61の上流面である前面との間に挟持して操作リング41を本体枠42に係止保持するものであり、吸気口64の中心に対して上下反対の位置に配置されている。
【００３０】
一方の係止部66は、操作リング41を本体枠42に対して着脱する際に切欠部55を前後方向に通過させるものである。すなわち、この一方の係止部66は、この切欠部55よりも幅寸法が小さく形成されている。また、この一方の係止部66は、口板部61から上流側すなわち前方へと突出する一方の突出部66aと、この一方の突出部66aの先端から下方へと屈曲する一方の係止突出部66bとを有している。
【００３１】
また、他方の係止部67は、操作リング41の切欠部55よりも幅寸法が大きく、すなわち一方の係止部66よりも幅寸法が大きく形成されている。すなわち、この他方の係止部67は、切欠部55を前後方向に通過させることはない。また、この他方の係止部67は、口板部61から前方へと突出する他方の突出部67aと、この他方の突出部67aの先端から上方へと屈曲する他方の係止突出部67bとを有しており、この他方の係止突出部67bの背面側、すなわち口板部61側には、操作リング41を本体枠42に取り付ける際の呼び込みとなる傾斜面67cが前方に向けて上方へと傾斜して形成されている。
【００３２】
各位置決め部68は、集塵装置30を本体集塵室29に取り付けた状態で、この本体集塵室29の両側から突出している位置決め凸部としてのリブ部71の前側に当接することにより、前後方向の位置が規制されるように構成されている。
【００３３】
また、枠体62は、正面視で略四角形枠状の下流側枠部としての後枠部73と、この後枠部73の両側部と口板部61の両側部との間を連結する連結枠部74とを有している。
【００３４】
後枠部73は、集塵装置30を本体集塵室29に取り付けた状態で隔壁26およびフィルタ部材38の前方に対向して位置する部分であり、口板部61よりも外郭が大きく形成されており、この口板部61の後方の所定距離の位置に配置されている。また、この後枠部73の中央部には、四角形状の後部開口75が形成されている。この後部開口75は、風路Ｗに吸い込まれた空気が通過可能な部分であり、吸気口64および口板部61よりも大きく形成されている。
【００３５】
連結枠部74は、例えば後枠部73の上側の両側と口板部61の上側の両側とを連結する上部連結枠74a，74aと、後枠部73の下側の両側と口板部61の下側の両側とを連結する下部連結枠74b，74bと、連結枠74a，74b間に位置し後枠部73の上下方向の中間位置の両側と口板部61の上下方向の中間位置の両側とを連結する中間連結枠74c，74cとを有している。したがって、上部連結枠74a，74aと後枠部73の上部との間には、上部開口76が形成され、上部連結枠74aと中間連結枠74cとの間には、側部上側開口77が形成され、中間連結枠74cと下部連結枠74bとの間には、側部下側開口78が形成され、下部連結枠74b，74bと後枠部73の下部との間には、下部開口79が形成されている。これら開口76〜79のうち、下部開口79を除く開口76〜78は、それぞれ風路Ｗに吸い込まれた空気が通過可能な部分であり、後部開口75よりも小さく形成されている。また、各連結枠74a，74b，74cは、それぞれ後方へと徐々に拡開状に形成されている。換言すれば、両上部連結枠74a，74a間、両下部連結枠74b，74b、および、両中間連結枠74c，74c間は、それぞれ前側から後側へと幅方向に徐々に広がるように形成されている。さらに、上部連結枠74a，74aは、前側から後側へと、徐々に上方へと傾斜しており、これら上部連結枠74a，74aの上部の前側寄りの位置には、集塵装置30の持ち運び用のハンドル81が前後方向に回動可能に取り付けられている。また、下部連結枠74b，74bは、内部が曲面状に湾曲している。そして、中間連結枠74c，74cの内側には、所定量以上の塵埃を内部に収容した袋体43の外部に食い込んでこの袋体43を周方向に回り止めするように保持する保持部としての回り止め部であるリブ74d，74dが突出して形成されている。
【００３６】
ハンドル81は、上部連結枠74aに形成された軸受部82，82に回動可能に軸支されており、前方へと回動させた状態で本体枠42から上方に突出するとともに、後方へと回動させた状態で、枠体62の上部、すなわち後枠部73の上部から連結枠部74の上部連結枠74a，74aの上部に亘って倒れて本体集塵室29内に収容されるように構成されている。なお、このハンドル81は、本体枠42と一体に形成してもよい。
【００３７】
そして、袋体43は、吸気口64および開口部51に一端側の開口43aが連通して本体枠42の内方に着脱可能に取り付けられる。すなわち、この袋体43は、一端側の開口43aの縁部43bが吸気口64に対して後方から挿入され、口板部61の前部において、この吸気口64の周縁部へと折り返されて溝部65と操作リング41の凸部47との間に挟持されている。また、この袋体43の他端側は閉塞されており、吸気口64の後方に対向して位置している。さらに、この袋体43は、未使用状態では、操作リング41と本体枠42とにより固定された状態で本体枠42の内部に対して離間された状態であり、塵埃を捕集するに従って膨らむように構成されている。
【００３８】
また、クランプ31は、本体集塵室29の取り付けた集塵装置30をリブ部71とともに前後から挟持して本体集塵室29に固定するものである。このクランプ31は、本体ケース25の本体集塵室29にて本体吸込口36の上部に本体蓋33に臨んで形成された保持取付部としての平面状の平面部83に回動可能に軸支された軸支部31aと、この軸支部31aから前方へと突出した蓋体阻止部としての突出腕部31bと、軸支部31aから突出腕部31bと反対方向である後方へと突出した押圧支持部としての突出支持部31cとを一体的に有している。さらに、このクランプ31は、図示しないトーションばねなどの付勢手段により、突出支持部31cが後方へと突出する方向、すなわち集塵装置30を後方へと押圧する方向に付勢されている。
【００３９】
次に、上記一実施の形態の動作を説明する。
【００４０】
集塵装置30は、まず、図１および図２に示すように、操作リング41と本体枠42とを取り外した状態で、この本体枠42に対して後部開口75などから袋体43を挿入し、この袋体43の開口43a側を吸気口64に後方から挿入して、口板部61の前部にて吸気口64の外方へと縁部43bを、溝部65を覆うように折り返す。
【００４１】
この状態で、操作リング41を口板部61の前側からこの口板部61に取り付ける。この取り付けの際には、まず、操作リング41を、上側を前側、下側を後側とするように傾斜させつつ、ガイド部46の下端を、本体枠42の他方の係止部67の傾斜面67cに沿って挿入し、操作リング41の上側を、下側を支点として後方、すなわち口板部61側へと回動させることにより、切欠部55に一方の係止部66が挿入される。このとき、操作リング41の各凸部47が、袋体43の縁部43bを介して溝部65に嵌合する。そして、図３に示すように、操作リング41を周方向にわずかに回動させて(矢印Ａ方向)、操作リング41の切欠部55と一方の係止部66との位置関係を相対的にずらすことにより、操作リング41が、口板部61の前面と各係止部66，67の係止突出部66b，67bとの間にガイド部46が挟持されて保持固定され、この操作リング41と口板部61との間に、袋体43の縁部43bが挟持された状態となる。なお、この状態で、袋体43は開口43aが吸気口64(開口部51)と連通し、外側が本体枠42の内部から離間されている。
【００４２】
そして、使用者は、この集塵装置30を、本体蓋33を開いた本体集塵室29内に取り付ける。具体的には、使用者は、ハンドル81を把持し、口板部61の位置決め部68，68を本体集塵室29のリブ部71，71の前側と位置合わせしつつ集塵装置30を下方へとスライドさせる。このとき、口板部61がクランプ31の突出支持部31cと接触することにより、クランプ31が付勢手段の付勢に抗して回動し、このクランプ31が口板部61のスライドを妨げることはない。この口板部61の下部を本体集塵室29の底部に当接させた状態では、クランプ31の突出支持部31cが、付勢手段の付勢力により口板部61を後方へと押圧することにより、リブ部71と突出支持部31cとの間で口板部61(集塵装置30)が前後方向に挟持され、さらに、ハンドル81を後方に回動させて倒し、本体蓋33を下方に回動させることにより、この本体蓋33の押さえリブ69が口板部61の上端部を下方へと押さえつけて、口板部61(集塵装置30)が上下方向に挟持される。この状態で、吸気口64(開口部51)を介して袋体43の開口43aが本体吸込口36の下流側に気密に接続され、本体枠42の枠体62の後枠部73の上側、連結枠部74の上部連結枠74aおよび中間連結枠74cは、それぞれ本体集塵室29の内部から離間されている。
【００４３】
なお、集塵装置30を取り付けない状態では、クランプ31が付勢手段の付勢によって回動することにより、突出腕部31bが本体蓋33と本体ケース25との間に挟まって、本体蓋33が本体集塵室29を閉じない状態となる。
【００４４】
次いで、使用者は、本体吸込口36に接続管部15を挿入接続する。このとき、接続管部15の基端部は、吸気口64(開口部51)を介して袋体43の開口43aに挿入される。この後、使用者は、ホース体16に延長管18および床ブラシ19を順次連通接続し、床ブラシ19を被掃除面上に載置して、把持部21を把持し、所望の設定ボタン22を操作する。
【００４５】
そして、制御手段は、使用者の操作により設定された動作モードで電動送風機27を駆動させる。この電動送風機27の駆動により生じた負圧は、本体集塵室29、袋体43、吸気口64(開口部51)および本体吸込口36を介して、管部12へと作用する。すなわち、集塵装置30の本体枠42の周囲には、各開口75〜78から本体集塵室29内の周囲へと空気が通過する風路が袋体43の周囲全体に形成される。なお、下部開口79は、集塵装置30を本体集塵室29に取り付けた状態で、この本体集塵室29の底部によりほぼ閉塞され、空気が通過しにくくなっている。
【００４６】
床ブラシ19から風路Ｗに吸い込まれた含塵空気は、延長管18、ホース体16、本体吸込口36を介して、吸気口64(開口部51)から袋体43へと吸い込まれ、この袋体43を通過する際に塵埃が濾過捕集される。袋体43は、伸縮性を有する濾材により形成されているため、この電動送風機27の駆動時には膨らみ(伸張し)、内部に塵埃を収容する。
【００４７】
この塵埃が捕集された空気は、袋体43およびフィルタ部材38を通過し、電動送風機27へと吸い込まれた後、排気風となり、電動送風機室から、排気孔を介して掃除機本体13(本体ケース25)の外部へと排気される。
【００４８】
掃除が終了すると、使用者が電動送風機27を停止させる設定ボタン22を操作することで、制御手段が電動送風機27の駆動を停止させる。電動送風機27が停止すると、袋体43は収縮し(図６の想像線)、内部に収容した塵埃を圧縮する。
【００４９】
そして、袋体43に所定量以上の塵埃が溜まった場合には、この袋体43を廃棄し、新たな袋体43に交換する。
【００５０】
この袋体43の廃棄の際には、まず、使用者が本体蓋33を開いてハンドル81を起こし(図６)、このハンドル81を上方へと引き上げることで集塵装置30を本体集塵室29から取り外す。
【００５１】
この状態で、袋体43は、図４の想像線および図６に示すように、本体枠42の内部よりも収縮した状態となっているものの、未使用状態よりも膨らんだ状態となっており、リブ74d，74dが両側に食い込んだ状態となっている。
【００５２】
そして、使用者は、操作凹部53に指先を挿入し、操作リング41を周方向に回転させる(矢印Ｂ方向)と、各凸部47が溝部65に沿って移動する。このとき、袋体43はリブ74d，74dにより回り止めされているとともに、縁部43bには凸部47が食い込んでいるため、縁部43bのみがねじれるように、操作リング41と一体的に回動し、塵埃を内部に収容した状態で袋体43の開口43aがねじられて閉塞される。
【００５３】
操作リング41を略１回転させると、切欠部55と一方の係止部66との位置が一致し、図５に示すように、操作リング41を本体枠42から前方へと取り外すことができる。なお、袋体43の開口43aのねじりが不充分である場合には、操作リング41をさらに同方向に回転させてもよい。
【００５４】
そして、ハンドル81を把持した状態で、操作リング41を本体枠42から取り外し、例えば本体枠42の後部開口75を下側に向けることにより、袋体43がリブ74d，74d間を滑って後部開口75から落下廃棄される。このとき、袋体43は開口43aがねじりによって絞られているので、袋体43内に収容された塵埃が廃棄の際に飛散することがない。
【００５５】
上述したように、上記一実施の形態によれば、袋体43を伸縮可能な濾材により形成することで、塵埃を内部に捕集した際など袋体43が膨らんだときでも、本体集塵室29の内部形状に拘らず本体枠42の内部形状に沿って最適形状に膨らませることができるとともに、未使用状態では袋体のみを収縮させた状態で保管でき、塵埃を内部に捕集した際などでも袋体43が本体枠42の内部形状に沿って膨らむので、本体集塵室29の形状に拘らず、袋体43を塵埃の収容に最適な形状に膨らませることができる。しかも、未使用状態では袋体43のみを収縮させた状態で保管でき、また、使用後には袋体43が収縮することで捕集した塵埃を圧縮できるので、保管あるいは廃棄の際に嵩張りにくい。
【００５６】
また、袋体43の一端側を、本体枠42と操作リング41とにより挟持する構成とすることにより、袋体43の着脱が容易になる。
【００５７】
さらに、本体枠42にハンドル81を設け、操作リング41を本体枠42に対して回動させることにより袋体43の一端側をねじって廃棄可能とすることで、集塵装置30を容易に廃棄位置まで持ち運ぶことができるだけでなく、使用者がハンドル81を一方の手で把持した状態で袋体43に触れることなく他方の手で操作リング41を回動させて開口43aをねじって閉塞し、捕集した塵埃を飛散させることなく容易に廃棄できる。
【００５８】
そして、本体枠42は、枠体62の上側、後側および両側、すなわち、後枠部73の上側、上部連結枠74aおよび中間連結枠74cの外郭が本体集塵室29の内部に対して離間される形状を有していることにより、袋体43の後方、両側方および上側の略全周から空気が流れる構成とすることができ、袋体43の特定の箇所のみが目詰まりしやすくなることがなく、袋体43全体で塵埃を濾過捕集できるので、袋体43の目詰まりを遅らせて、袋体43を効率よく使用できる。
【００５９】
また、本体枠42の底面を構成する下部連結枠74bの内面を曲面状に湾曲させているので、袋体43を本体枠42へと、より取り付けやすくなる。
【００６０】
なお、上記一実施の形態において、電気掃除機11としては、キャニスタ型に限らず、例えば床ブラシ19を縦長の掃除機本体13の下部に接続したアップライト型、あるいはハンディ型などであっても対応させて用いることができる。すなわち、電気掃除機11の細部は、上記各構成に限定されるものではない。
【符号の説明】
【００６１】
11    電気掃除機
13    掃除機本体
27    電動送風機
29    被取付部としての本体集塵室
30    集塵装置
41    口枠としての操作リング
42    本体枠
43    袋体
64    吸気口
81    ハンドル
Ｗ    風路
【図１】
2011200559.tif 000003
【図２】
2011200559.tif 000004
【図３】
2011200559.tif 000005
【図４】
2011200559.tif 000006
【図５】
2011200559.tif 000007
【図６】
2011200559.tif 000008
【図７】
2011200559.tif 000009
【図８】
2011200559.tif 000010